(57)【要約】【課題】転写紙を搬送する転写搬送ベルトの転写紙受け入れ側を感光体ドラムから離すように移動させる場合でも転写紙の搬送不良を防止することができる転写搬送ユニット及び画像形成装置を提供する。【解決手段】転写搬送ベルト６０の転写紙受け入れ側に配置した転写紙ガイド部材２０２の転写紙搬送方向下流側の端部２０２ａが、感光体ドラムに対して離接されるときの転写搬送ベルト６０の転写紙受け入れ側の移動に追従して移動するように、転写材ガイド部材２０２を構成する。【選択図】  図１
2004191505.tif 000002
【特許請求の範囲】
【請求項１】
複数の像担持体それぞれに対する複数の転写位置を通過するように転写材を担持して搬送する転写搬送部材と、該複数の像担持体のうち転写材搬送方向上流側にある一部の像担持体の転写位置を該転写材が通過しないように、該転写搬送部材の転写材搬送方向上流側の部分を該一部の像担持体に対して離接する離接手段と、該転写搬送部材の転写材受け入れ側に配置した転写材ガイド部材とを備えた転写搬送装置であって、
該転写材ガイド部材の転写材搬送方向下流側の端部が、該離接手段で該像担持体に対して離接されるときの該転写搬送部材の転写材受け入れ側の移動に追従して移動するように、該転写材ガイド部材を構成したことを特徴とする転写搬送装置。
【請求項２】
請求項１の転写搬送装置において、
上記転写搬送部材の転写材受け入れ側に転写材搬送用のローラを設け、
上記転写材ガイド部材の転写材搬送方向下流側の端部を、該転写材搬送用のローラを覆う形状にしたことを特徴とする転写搬送装置。
【請求項３】
請求項２の転写搬送装置において、
上記転写材ガイド部材の上記転写材搬送用のローラを上方から覆っている覆い部の上面を、水平面に対して傾斜させたことを特徴とする転写搬送装置。
【請求項４】
請求項２の転写搬送装置において、
上記転写材ガイド部材の上記転写材搬送用のローラを上方から覆っている覆い部の上面を、円周面状にしたことを特徴とする転写搬送装置。
【請求項５】
請求項２乃至４のいずれかの転写搬送装置において、
上記転写材ガイド部材の上記転写材搬送用のローラを上方から覆っている覆い部の端部に、該覆い部上に落下して該覆い部の上面に沿って滑り落ちてくる落下物を受け止める受け止め部を形成したことを特徴とする転写搬送装置。
【請求項６】
請求項２の転写搬送装置において、
上記転写材ガイド部材の上記転写材搬送用のローラを上方から覆っている部分の上面を、上方に開口した凹状の形状にしたことを特徴とする転写搬送装置。
【請求項７】
請求項１乃至６のいずれかの転写搬送装置において、
上記転写材ガイド部材の転写材搬送方向上流側の端部が、該転写材ガイド部材の転写材搬送方向下流側の端部の移動にかかわらず所定の転写材受け位置から移動しないように構成したことを特徴とする転写搬送装置。
【請求項８】
請求項１乃至７のいずれかの転写搬送装置において、
上記転写材ガイド部材を弾性材料で形成したことを特徴とする転写搬送装置。
【請求項９】
複数の像担持体と、該像担持体の表面に画像を形成する画像形成手段と、転写搬送部材に転写材を担持して搬送し該像担持体の表面に形成した画像を該転写材に転写する転写搬送手段とを備え、該転写材上にカラー画像を形成する画像形成装置において、
該転写搬送手段として、請求項１乃至８のいずれかの転写搬送装置を用いたことを特徴とする画像形成装置。
【発明の詳細な説明】
【０００１】
【発明の属する技術分野】
本発明は、複写機、プリンター、ＦＡＸなどの画像形成装置及びその画像形成装置に用いる転写搬送装置に関するものである。詳しくは、転写搬送部材と、転写搬送部材の転写材受け入れ側に配置した転写材ガイド部材とを備えた転写搬送装置及びその転写搬送装置を備えた画像形成装置に関するものである。
【０００２】
【従来の技術】
従来、この種の画像形成装置として、転写搬送部材としての無端状の転写搬送ベルトで搬送される転写紙の搬送経路に沿って複数の像担持体としての感光体ドラムを並設し、カラー画像を形成するタンデム方式の画像形成装置が知られている。このタンデム方式の画像形成装置では、各感光体ドラムごとにイエロー（Ｙ）、マゼンタ（Ｍ）、シアン（Ｃ）及びブラック（Ｋ）の各色に対して静電潜像の形成、現像などの電子写真プロセスが実行される。そして、各感光体ドラム上の互いに異なる色の画像が、転写搬送ベルトで搬送されている転写紙に転写され、転写紙上にカラー画像が形成される。
また、近年、上記タンデム方式の画像形成装置において、カラー画像とモノクロ画像の２種類の画像を出力することが要求されている。このような２種類の画像を出力可能にする場合、ブラックの感光体ドラムの転写紙搬送方向上流側にカラー用の３つの感光体ドラムを配置し、このカラー用の３つの感光体ドラムに対して転写搬送ベルトを離接可能にするのが一般的である。すなわち、カラー画像を形成するときは、イエロー、マゼンタ、シアン及びブラックの各感光体ドラムに対する転写位置を転写紙が通過するようにすべての感光体ドラムに対して転写搬送ベルトを押し付ける。一方、モノクロ画像を形成するときは、ブラックの感光体ドラムに対する転写位置のみを転写紙が通過するようにブラックの感光体ドラムに対して転写搬送ベルトを押し当てたまま、イエロー、マゼンタ及びシアンの３つの感光体ドラムからは転写搬送ベルトを離す。
【０００３】
【発明が解決しようとする課題】
ところが、上記カラー画像及びモノクロ画像の２種類の画像を出力可能なタンデム方式の画像形成装置では、転写搬送ベルトの離接動作によって転写搬送ベルトの転写紙受け入れ側の位置が大きく変化する。そのため、転写搬送ベルトの転写紙受け入れ側に配置した転写材ガイド部材を用いて転写搬送装置へ転写紙をガイドするときに、転写紙受け入れ側へ転写紙が適切にガイドされず、転写紙の紙詰まりが発生するおそれがあるという問題があった。
【０００４】
本発明は以上の問題点に鑑みなされたものである。その目的は、転写材を搬送する転写搬送部材の転写材受け入れ側を像担持体から離すように移動させる場合でも転写材の搬送不良を防止することができる転写搬送装置及び画像形成装置を提供することである。
【０００５】
【課題を解決するための手段】
上記目的を達成するために、請求項１の発明は、複数の像担持体それぞれに対する複数の転写位置を通過するように転写材を担持して搬送する転写搬送部材と、該複数の像担持体のうち転写材搬送方向上流側にある一部の像担持体の転写位置を該転写材が通過しないように、該転写搬送部材の転写材搬送方向上流側の部分を該一部の像担持体に対して離接する離接手段と、該転写搬送部材の転写材受け入れ側に配置した転写材ガイド部材とを備えた転写搬送装置であって、該転写材ガイド部材の転写材搬送方向下流側の端部が、該離接手段で該像担持体に対して離接されるときの該転写搬送部材の転写材受け入れ側の移動に追従して移動するように、該転写材ガイド部材を構成したことを特徴とするものである。
また、請求項２の発明は、請求項１の転写搬送装置において、上記転写搬送部材の転写材受け入れ側に転写材搬送用のローラを設け、上記転写材ガイド部材の転写材搬送方向下流側の端部を、該転写材搬送用のローラを覆う形状にしたことを特徴とするものである。
また、請求項３の発明は、請求項２の転写搬送装置において、上記転写材ガイド部材の上記転写材搬送用のローラを上方から覆っている覆い部の上面を、水平面に対して傾斜させたことを特徴とするものである。
また、請求項４の発明は、請求項２の転写搬送装置において、上記転写材ガイド部材の上記転写材搬送用のローラを上方から覆っている覆い部の上面を、円周面状にしたことを特徴とするものである。
また、請求項５の発明は、請求項２乃至４のいずれかの転写搬送装置において、上記転写材ガイド部材の上記転写材搬送用のローラを上方から覆っている覆い部の端部に、該覆い部上に落下して該覆い部の上面に沿って滑り落ちてくる落下物を受け止める受け止め部を形成したことを特徴とするものである。
また、請求項６の発明は、請求項２の転写搬送装置において、上記転写材ガイド部材の上記転写材搬送用のローラを上方から覆っている部分の上面を、上方に開口した凹状の形状にしたことを特徴とするものである。
また、請求項７の発明は、請求項１乃至６のいずれかの転写搬送装置において、上記転写材ガイド部材の転写材搬送方向上流側の端部が、該転写材ガイド部材の転写材搬送方向下流側の端部の移動にかかわらず所定の転写材受け位置から移動しないように構成したことを特徴とするものである。
また、請求項８の発明は、請求項１乃至７のいずれかの転写搬送装置において、上記転写材ガイド部材を弾性材料で形成したことを特徴とするものである。
また、請求項９の発明は、複数の像担持体と、該像担持体の表面に画像を形成する画像形成手段と、転写搬送部材に転写材を担持して搬送し該像担持体の表面に形成した画像を該転写材に転写する転写搬送手段とを備え、該転写材上にカラー画像を形成する画像形成装置において、該転写搬送手段として、請求項１乃至８のいずれかの転写搬送装置を用いたことを特徴とするものである。
【０００６】
請求項１乃至８の転写搬送装置及び請求項９の画像形成装置では、複数の像担持体のすべてを用いて画像を形成するときは、各像担持体に対する転写位置のすべてを転写材が通過するように、転写材を搬送する転写搬送部材を各像担持体に接触させる。このとき、画像が転写される転写材は、転写材ガイド部材で転写搬送部材の転写材受け入れ側にガイドされ、転写搬送部材上に担持されて搬送される。
一方、複数の像担持体のうち転写材搬送方向下流側の像担持体のみを用いて画像を形成するときは、転写材搬送方向上流側にある残りの一部の像担持体に対する転写位置を転写材が通過しないようにする。すなわち、離接手段で転写搬送部材の転写材受け入れ側を上記一部の像担持体から離間させることにより、その一部の像担持体に対する転写位置を転写材が通過しないようにする。この転写搬送部材の転写材受け入れ側を像担持体から離間させるとき、転写材ガイド部材の転写材搬送方向下流側の部分が、転写搬送部材の転写材受け入れ側の移動に追従するように移動する。このように転写材ガイド部材の転写材搬送方向下流側の部分が追従移動することにより、画像が転写される転写材は、転写材ガイド部材で転写搬送部材の転写材受け入れ側に適切にガイドされ、転写搬送部材上に確実に担持されて搬送される。
【０００７】
【発明の実施の形態】
以下、本発明を電子写真方式の画像形成装置としての直接転写方式タンデム型のレーザプリンタ（以下「レーザプリンタ」という）に適用した実施形態について説明する。
図２は本実施形態に係るレーザプリンタの概略構成の概略構成図である。このレーザプリンタは、イエロー（Ｙ）、マゼンダ（Ｍ）、シアン（Ｃ）、黒（Ｋ）の各色の画像を形成するための４組の画像形成手段としてのトナー像形成部１Ｙ、１Ｍ、１Ｃ、１Ｋを備えている。以下、各符号の添字Ｙ、Ｍ、Ｃ、Ｋは、それぞれイエロー、マゼンダ、シアン、黒用の部材であることを示す。この４組のトナー像形成部１Ｙ、１Ｍ、１Ｃ、１Ｋは、転写材としての転写紙１００の移動方向（図中の矢印Ａに沿ってベルト６０が走行する方向）における上流側から順に配置されている。このトナー像形成部１Ｙ、１Ｍ、１Ｃ、１Ｋはそれぞれ、像担持体としての感光体ドラム１１Ｙ、１１Ｍ、１１Ｃ、１１Ｋと、現像ユニットとを備えている。また、各トナー像形成部１Ｙ、１Ｍ、１Ｃ、１Ｋの配置は、各感光体ドラムの回転軸が平行になるように且つ転写紙移動方向に所定のピッチで配列するように設定されている。
【０００８】
本レーザプリンタは、上記トナー像形成部１Ｙ、１Ｍ、１Ｃ、１Ｋのほか、光書込ユニット２、給紙カセット３，４、レジストローラ対５、転写搬送装置としての転写搬送ユニット６、ベルト定着方式の定着ユニット７、排紙トレイ８等を備えている。転写搬送ユニット６は、転写紙１００を担持して各トナー像形成部の転写位置を通過するように搬送する転写搬送部材としての無端状の転写搬送ベルト６０を有している。また、本レーザプリンタは、手差しトレイＭＦ、トナー補給容器ＴＣを備え、図示していない廃トナーボトル、両面・反転ユニット、電源ユニットなども二点鎖線で示したスペースＳの中に備えている。
【０００９】
上記光書込ユニット２は、光源、ポリゴンミラー、ｆ−θレンズ、反射ミラー等を備え、画像データに基づいて各感光体ドラム１１Ｙ、１１Ｍ、１１Ｃ、１１Ｋの表面にレーザ光を走査しながら照射する。
【００１０】
図３は、上記転写搬送ユニット６の概略構成を示す拡大図である。この転写搬送ユニット６で使用した転写搬送ベルト６０は、体積抵抗率が１０９〜１０１１Ωｃｍである高抵抗の無端状単層ベルトであり、その材質はＰＶＤＦ（ポリフッ化ビニリデン）である。この転写搬送ベルト６０は、各トナー像形成部の感光体ドラム１１Ｙ、１１Ｍ、１１Ｃ、１１Ｋに接触対向する各転写位置を通過するように、支持ローラ６１〜６８に掛け回されている。
【００１１】
これらの支持ローラのうち、転写紙移動方向上流側の入口ローラ６１には、電源８０ａから所定電圧が印加された転写材搬送用の静電吸着ローラ８０が対向するように転写搬送ベルト６０の外周面に配置されている。この２つのローラ６１，８０の間を通過した転写紙１００は転写搬送ベルト６０上に静電吸着により担持される。ローラ６３は転写搬送ベルト６０を摩擦駆動する駆動ローラであり、図示しない駆動源に接続されていて矢印方向に回転する。
【００１２】
各転写位置において転写電界を形成する転写電界形成手段として、感光体ドラムに対向する位置には、転写搬送ベルト６０の裏面に接触するように、転写バイアス印加部材６７Ｙ、６７Ｍ、６７Ｃ、６７Ｋを設けている。これらはスポンジ等を外周に設けたバイアスローラであり、各転写バイアス電源９Ｙ、９Ｍ、９Ｃ、９Ｋからローラ心金に転写バイアスが印加される。この印加された転写バイアスの作用により、転写搬送ベルト６０に転写電荷が付与され、各転写位置において該転写搬送ベルト６０と感光体ドラム表面との間に所定強度の転写電界が形成される。また上記転写が行なわれる領域での転写紙と感光体の接触を適切に保ち、最良の転写ニップを得るために、バックアップローラ６８を備えている。
【００１３】
上記転写バイアス印加部材６７Ｙ、６７Ｍ、６７Ｃとその近傍に配置されるバックアップローラ６８は、回転可能に揺動ブラケット９３に一体的に保持され、回動軸９４を中心として回動が可能である。この回動は、カム軸９７に固定されたカム９６が矢印の方向に回動することで時計方向に回動する。
上記入り口ローラ６１と静電吸着ローラ８０は一体的に、入り口ローラブラケット９０に支持され、軸９１を回動中心として、図３の状態から時計方向に回動可能である。揺動ブラケット９３に設けた穴９５と、入り口ローラブラケット９０に固植されたピン９２が係合しており、上記揺動ブラケット９３の回動と連動して回動する。これらのブラケット９０、９３の時計方向の回動により、バイアス印加部材６７Ｙ、６７Ｍ、６７Ｃとその近傍に配置されるバックアップローラ６８は感光体１１Ｙ，１１Ｍ，１１Ｃから離され、入り口ローラ６１と静電吸着ローラ８０も下方に移動する。ブラックのみの画像を形成するモノクロモード時に、感光体ドラム１１Ｙ，１１Ｍ，１１Ｃと転写搬送ベルト６０の接触を避けることが可能となっている。
以上のように、転写搬送ベルト６０の転写紙搬送方向上流側の部分を感光体ドラム１１Ｙ，１１Ｍ，１１Ｃに対して離接する離接手段は、上記揺動ブラケット９３、カム９６、入り口ローラブラケット９０等により構成される。
【００１４】
一方、転写バイアス印加部材６７Ｋとその隣のバックアップローラ６８は出口ブラケット９８に回転可能に支持され、出口ローラ６２と同軸の軸９９を中心として回動可能にしてある。転写搬送ユニット６を本体に対し着脱する際に、図示していないハンドルの操作により時計方向に回動させ、ブラック画像形成用の感光体１１Ｋから、転写バイアス印加部材６７Ｋとその隣のバックアップローラ６８を離間させるようにしてある。
【００１５】
駆動ローラ６３に巻きつけられた転写搬送ベルト６０の外周面には、ブラシローラとクリーニングブレードから構成されたクリーニング装置８５が接触するように配置されている。このクリーニング装置８５により転写搬送ベルト６０上に付着したトナー等の異物が除去される。また、転写搬送ベルト６０の走行方向で駆動ローラ６３より下流に、転写搬送ベルトの外周面を押し込む方向にローラ６４を設け、駆動ローラ６３への巻きつけ角を確保している。ローラ６４より更に下流の転写搬送ベルト６０のループ内に、押圧部材（ばね）６９でベルトにテンションを与えるテンションローラ６５を備えている。
【００１６】
先に示した図３中の一点鎖線は、転写紙１００の搬送経路を示している。給紙カセット３、４あるいは手差しトレイＭＦから給送された転写紙１００は、図示しない搬送ガイドにガイドされながら搬送ローラで搬送され、レジストローラ対５が設けられている一時停止位置に送られる。このレジストローラ対５により所定のタイミングで送出された転写紙１００は、転写搬送ベルト６０に担持され、各トナー像形成部１Ｙ、１Ｍ、１Ｃ、１Ｋに向けて搬送され、各転写位置に形成されている転写ニップを通過する。
【００１７】
フルカラー画像を形成するカラーモードでは、各トナー像形成部１Ｙ、１Ｍ、１Ｃ、１Ｋの感光体ドラム１１Ｙ、１１Ｍ、１１Ｃ、１１Ｋ上で現像された各トナー像は、それぞれ各転写ニップで転写紙１００に重ね合わされる。そして、上記転写電界やニップ圧の作用を受けて転写紙１００上に転写される。この重ね合わせの転写により、転写紙１００上にはフルカラートナー像が形成される。
トナー像転写後の感光体ドラム１１Ｙ、１１Ｍ、１１Ｃ、１１Ｋの表面がクリーニング装置によりクリーニングされ、更に除電されて次の静電潜像の形成に備えられる。
一方、フルカラートナー像が形成された転写紙１００は、定着ユニット７でこのフルカラートナー像が定着された後、切換ガイドＧの回動姿勢に対応して、第１の排紙方向Ｂまたは第２の排紙方向Ｃに向かう。第１の排紙方向Ｂから排紙トレイ８上に排出される場合、画像面が下となった、いわゆるフェースダウンの状態でスタックされる。一方第２の排紙方向Ｃに排出される場合には、図示していない別の後処理装置（ソータ、綴じ装置など）に向け搬送させるとか、スイッチバック部を経て両面プリントのために再度レジストローラ対５に搬送される。
【００１８】
次に、本実施形態の特徴部である転写搬送ユニット６について説明する。
図１（ａ）はカラーモード時の転写搬送ユニット６の位置を示し、図１（ｂ）はモノクロモード時の転写搬送ユニット６の位置を示している。本実施形態の転写搬送ユニット６は、転写搬送ベルト６０の転写紙受け入れ側に、転写材ガイド部材としての転写紙ガイド部材２０２を備えている。この転写紙ガイド部材２０２は、その転写紙搬送方向下流側の端部２０２ａが、感光体ドラムに対して離接されるときの転写搬送ベルト６０の移動に追従して移動可能に構成されている。具体的には、転写紙ガイド部材２０２の転写紙搬送方向下流側の端部２０２ａを、転写搬送ベルト６０を有する転写搬送ユニット６の図示しないフレームに固定している。これにより、転写紙ガイド部材２０２の転写紙搬送方向下流側の端部２０２ａが転写搬送ユニット６の揺動に追従して移動するようになっている。
【００１９】
また、上記転写紙ガイド部材２０２は、その転写紙搬送方向下流側の端部２０２ａが転写搬送ユニット６の揺動に追従して移動するときに弾性変形して撓むことができるように、弾性材料（可撓性の材料）で形成されている。一方、この転写紙ガイド部材２０２の転写紙搬送方向上流側の端部２０２ｂは、転写紙ガイド部材２０２の転写紙搬送方向下流側の端部２０２ａの移動にかかわらず、所定の転写紙受け位置から動かないように構成されている。具体的には、転写紙ガイド部材２０２の転写紙搬送方向上流側の端部２０２ｂは、レジストローラ対５の横に固定配置されている規制部材２０１にひっかけるような形状に形成されている。これにより、転写紙ガイド部材２０２の転写紙搬送方向下流側の端部２０２ａが転写搬送ユニット６の揺動に追従して移動しても、転写紙ガイド部材２０２の規制部材２０１近傍の端部２０２ｂは所定の転写紙受け位置から動かず、転写紙ガイド部材２０２の端部とレジストローラ対５との位置関係が変化しない。よって、レジストローラ対５で送り出されてきた転写紙１００が転写紙ガイド部材２０２の端部と衝突することによる紙詰まりを防止できる。
また、転写紙ガイド部材２０２の転写紙搬送方向下流側の端部２０２ａが転写搬送ユニット６の揺動に追従して移動しても、転写紙ガイド部材２０２の転写紙搬送方向両端部の間のギャップを転写材搬送ガイド２０２が弾性変形してたわむことによりうめることができる。従って、図４（ａ）のカラーモード時及び図４（ｂ）のモノクロモード時のいずれにおいても、レジストローラ対５と、転写搬送ベルト６０の転写搬送方向上流側にある静電吸着ローラ８０との間の転写紙搬送経路を確保し、転写紙１００の紙詰まりを防止することができる。
【００２０】
以上、本実施形態によれば、モノクロモード時に転写搬送ベルト６０の上流側部分を感光体ドラム１１Ｙ、１１Ｍ、１１Ｃから離す場合に、転写紙ガイド部材２０２の転写紙搬送方向下流側の部分２０２ａが、転写搬送ベルト６０の移動に追従して移動する。これにより、画像が転写される転写紙１００は、転写紙ガイド部材２０２によって転写搬送ベルト６０の転写紙受け入れ側に適切にガイドされ、転写搬送ベルト６０上に確実に担持されて搬送されるので、転写紙１００の紙詰まり等の搬送不良を防止することができる。
また、本実施形態によれば、上記転写紙ガイド部材２０２の転写紙搬送方向下流側の端部を、静電吸着ローラ８０を覆う形状にしている。これにより、図５に示すように現像装置２０６、感光体ドラム１１Ｙ、転写搬送ベルト６０などから飛散してくるトナーＴ１、Ｔ２、Ｔ３が静電吸着ローラ８０に付着するのを防ぎ、静電吸着ローラ８０の汚れを防止できる。
また、本実施形態によれば、転写紙ガイド部材２０２の転写紙搬送方向上流側の端部２０２ｂが、転写紙ガイド部材２０２の転写紙搬送方向下流側の端部２０２ａの移動にかかわらず所定の転写材受け位置から移動しないように規制部材２０１で規制している。このように転写紙ガイド部材２０２の転写紙搬送方向上流側の端部２０２ｂが所定の転写紙受け位置から移動しないので、転写紙ガイド部材２０２の転写紙搬送方向上流側の端部２０２ｂとレジストローラ対５との位置関係が変化しない。よって、レジストローラ対５で送り出された転写紙１００が転写紙ガイド部材２０２の端部と衝突することによる紙詰まりを防止できる。
また、本実施形態によれば、転写紙ガイド部材２０２の転写紙搬送方向下流側の端部２０２ａの移動によって転写紙ガイド部材２０２の転写紙搬送方向両端部間の距離が変動するような場合でも、転写紙搬送経路に隙間が生じない。即ち、転写紙ガイド部材２０２が弾性変形して転写紙ガイド部材２０２の転写紙搬送方向下流側の端部２０２ａと転写搬送ベルト６０の転写紙受け入れ側との間に隙間が生じない。よって、転写紙ガイド部材２０２による転写紙搬送経路に隙間が生じることによる転写紙１００の紙詰まりを防止することができる。
【００２１】
なお、上記実施形態において、上記転写紙ガイド部材２０２の静電吸着ローラ８０を覆っている端部の覆い部２０２ａの上面は、図６のように水平面に対して傾斜を付けたり、図７のように円周面状にしたりしてもよい。この場合は、転写紙ガイド部材２０２の覆い部２０２ａ上に落ちてきたトナー等の落下物が覆い部２０２ａの上面に沿って滑り落ちるので、その落下物が覆い部２０２ａ上に積らないようにすることができる。また、この場合は、図８に示すように上記転写紙ガイド部材２０２の覆い部２０２ａの端部に、覆い部２０２ａ上に落下して覆い部２０２ａの上面に沿って滑り落ちてくる落下物を受け止める受け止め部２０７を形成してもよい。この場合は、転写紙ガイド部材２０２の覆い部２０２ａから滑り落ちてきたトナー等の落下物を受け止め部２０７で受けことができるため、プリンター内の他の部分にトナー等の落下物が落ちて汚れるのを防止できる。
また、上記実施形態において、上記転写紙ガイド部材２０２の静電吸着ローラ８０を覆っている端部の覆い部２０２ａの上面を、図９に示すように上方に開口した凹状の形状にしてもよい。この場合は、転写紙ガイド部材２０２の凹状に形成した覆い部２０２ａでトナーを受けて他に飛散しないようにすることができる。また、転写紙ガイド部材２０２の覆い部からトナーがこぼれないようにすることができるため、プリンター内の他の部分にトナーが落ちて汚れるのを防止できる。
【００２２】
【発明の効果】
請求項１乃至９の発明によれば、転写材を搬送する転写搬送部材の転写材搬送方向上流側の部分を像担持体から離すように移動させる場合に、転写材ガイド部材の転写材搬送方向下流側の部分が、転写搬送部材の転写材受け入れ側の移動に追従して移動する。これにより、画像が転写される転写材は、転写材ガイド部材で転写搬送部材の転写材受け入れ側に適切にガイドされ、転写搬送部材上に確実に担持されて搬送されるので、転写材の搬送不良を防止することができるという効果がある。
【図面の簡単な説明】
【図１】（ａ）は本発明の実施形態に係るレーザプリンタのカラーモードにおける転写紙ガイド部材の位置を示す説明図。
（ｂ）は同レーザプリンタのモノクロモードにおける転写紙ガイド部材の位置を示す説明図。
【図２】同レーザプリンタの概略構成図。
【図３】同レーザプリンタの転写搬送ユニット全体の概略構成図。
【図４】（ａ）は同レーザプリンタのカラーモードにおける転写紙ガイド部材で搬送される転写紙の様子を示す説明図。
（ｂ）は同レーザプリンタのモノクロモードにおける転写紙ガイド部材で搬送される転写紙の様子を示す説明図。
【図５】同転写紙ガイド部材の覆い部の機能を示す説明図。
【図６】変形例に係る転写紙ガイド部材の形状を示す説明図。
【図７】他の変形例に係る転写紙ガイド部材の形状を示す説明図。
【図８】更に他の変形例に係る転写紙ガイド部材の形状を示す説明図。
【図９】更に他の変形例に係る転写紙ガイド部材の形状を示す説明図。
【符号の説明】
５  レジストローラ対
６  転写搬送ユニット
１Ｙ、１Ｍ、１Ｃ、１Ｋ  トナー像形成部
１１Ｙ、１１Ｍ、１１Ｃ、１１Ｋ  感光体ドラム
６０  転写搬送ベルト
６１〜６６  支持ローラ
８０  静電吸着ローラ
２０１  規制部材
２０２  転写紙ガイド部材
２０２ａ  転写紙ガイド部材の転写紙搬送方向下流側の端部（覆い部）
２０２ｂ  転写紙ガイド部材の転写紙搬送方向上流側の端部
２０６  現像装置
２０７  受け止め部
【図１】
2004191505.tif 000003
【図２】
2004191505.tif 000004
【図３】
2004191505.tif 000005
【図４】
2004191505.tif 000006
【図５】
2004191505.tif 000007
【図６】
2004191505.tif 000008
【図７】
2004191505.tif 000009
【図８】
2004191505.tif 000010
【図９】
2004191505.tif 000011